(57)【要約】      （修正有）【課題】水や湿気の多い浴室内、海辺、河川、山等、屋内外で読書が楽しめる電子書籍用防水ケースを提供する。【解決手段】防水ケースＣは、本体収容部１、蓋体２、開閉具３、３’、ポケット５を主な構成部材とし、本体収容部１と蓋体２は、連結部１ｈ、２ａでヒンジ４を介して回動可能に連結され、本体収容部１の開口周縁部には環状凹溝１ｄが形成され、該環状凹溝１ｄ内には弾性パッキン６が嵌着され、蓋体２の連結部２ａと反対側面には、開閉具３、３’が設けられている。【選択図】図１
0003109347.tif 000002
【実用新案登録請求の範囲】
【請求項１】
軽量、硬質樹脂材からなる浅底で矩形状の開口周縁部に環状凹溝を形成し、底部裏面には、ヒンジを介して回動可能な板状ルーペの収容ポケットを形成した本体収容部と、
前記本体収容部に設けた開口周縁部の環状凹溝に嵌着する弾性パッキンと、
軽量、硬質かつ透明樹脂材からなり、前記収容部の開口を被覆する蓋体と、
よりなり、
前記本体収容部と蓋体は、一側面に設けられたヒンジによって連結され、他側面に設けられた開閉具により開閉自在とされ、本体収容部に蓋体を止着したときに形成される内部スペースが、電子書籍の外形寸法よりやや大とされていることを特徴とする、電子書籍用防水ケース。
【請求項２】
前記本体収容部又は蓋体の外周側壁には、１〜複数の把持部が形成されていることを特徴とする、請求項１記載の電子書籍用防水ケース。
【請求項３】
前記蓋体の表面には、電子書籍の操作ボタンに対応する部位に防水加工された複数の押圧ピンを配設したことを特徴とする、請求項１ないし請求項２記載の電子書籍用防水ケース。
【請求項４】
前記板状ルーペの収容ポケットのほぼ裏面中央には、吸盤を貼着したことを特徴とする、請求項１ないし請求項３記載の電子書籍用防水ケース。
【考案の詳細な説明】
【技術分野】
【０００１】  本考案は、水をかぶったり又は水滴が落ちる浴室内等においても、なんら支障なく、読書が楽しめる電子書籍用防水ケースに関する。
【背景技術】
【０００２】  浴室内等において、ゆったりとした気分で読書を楽しみたいという願望は、多くの人が有しているが、浴室内は、高温多湿で、水をかぶったり又は水滴が落ちるので、書籍をそのまま浴室内に持ち込むことはできない。【０００３】  書籍が水をかぶったり、濡れるるのを防ぐために、防水型読書本が提案されている（特開平１０−２９３８６）。これは、本をプラスチック等の水分に強い素材のみで作ることを特徴としたものである。【０００４】  近年になり、インターネット上の図書館又は貸本屋等から好みの本をパソコンにダウンロードし、これを矩形状の薄厚、軽量で片手で操作可能な画面付きの読書具いわゆる、電子書籍が市販されている。【０００５】  上記の電子書籍は、多量の本を凝縮、収蔵し、読みたい時に、読みたい場所ですぐに楽しむことができるので、長期の出張や、旅行等での携行に便利である。
【考案の開示】
【考案が解決しようとする課題】
【０００６】  上記防水型読書本は、印刷上、取り扱いさらに制作コスト上の問題等があり、実用化されていない。また市販の電子書籍は、水や湿気を嫌う電気機器なので、浴室内は極めて悪い環境であり、故障を起こすことなく、動作させるために積極的な防水、防湿対策が必須となる。【０００７】  しかしながら、電子書籍そのものを防水、防湿構造とすると、技術的に問題があり、かつ制作コストも大巾に高くなるという欠点がある。【０００８】  本考案は、上記の従来技術の課題を解決し、水や湿気の多い浴室内はもちろん、海辺、河川、山等屋外でも読書を楽しめる電子書籍用防水ケースを提供することを、目的としている。
【課題を解決するための手段】
【０００９】  上記の課題を解決するための第１の考案は、軽量、硬質樹脂材からなる浅底で矩形状の開口周縁部に環状凹溝を形成し、底部裏面には、ヒンジを介して回動可能な板状ルーペの収容ポケットを形成した本体収容部と、前記収容部に設けた開口周縁部の環状凹溝に嵌着する弾性パッキンと、軽量、硬質かつ透明樹脂材からなり、前記本体収容部の開口を被覆する蓋体と、よりなり、前記本体収容部と蓋体は、一側面に設けられたヒンジによって連結され、他側面に設けられた開閉具により開閉自在とされ、本体収容部に蓋体を止着したときに形成される内部スペースが、電子書籍の外形寸法よりやや大とされていることを特徴としている。【００１０】  第２の考案は、請求項１記載の電子書籍用防水ケースにあって、前記本体収容部又は蓋体の外周側壁には、１〜複数の把持部が形成されていることを特徴としている。【００１１】  第３の考案は、請求項１ないし請求項２記載の電子書籍用防水ケースにあって、前記蓋体の表面には、電子書籍の操作ボタンに対応する部位に防水加工された複数の押圧ピンを配設したことを特徴としている。【００１２】  第４の考案は、請求項１ないし請求項３記載の電子書籍用防水ケースにあって、前記板状ルーペの収容ポケットのほぼ裏面中央には、吸盤を貼着したことを特徴としている。
【考案の効果】
【００１３】  本考案に係る、電子書籍用防水ケースは、上記の構成になるから以下の効果を奏する。即ち、第１の考案によれば、本体収容部の開口部は、該本体収容部の開口周縁に形成された環状凹溝に嵌着された弾性パッキンを押圧して蓋体を止着するので、本体収容部内は気密性が保持されて防水、防滴となり、また本体収容部の底部裏面に設けた板状ルーペの収容ポケットを起立させ、浴室内の浴槽周縁等に載置して、読書することができ、さらに本体収容部と蓋体によって形成される内部スペースは、電子書籍の外形寸法よりやや大とされているので、該電子書籍を本体収容部内に収容してもガタツキがないばかりか、手を滑らせて床面等に防水ケースに収容された電子書籍を落下させても、本体収容部と蓋体が衝撃を吸収するので該電子書籍は、破損したり、故障することを防止できる。【００１４】  第２の考案によれば、本体収容部又は蓋体の外周側壁には、１〜複数の把持部が形成されているので、携行と閲覧に至便である。【００１５】  第３の考案によれば、蓋体の表面には、電子書籍の操作ボタンに対応する部位に、防水加工された複数の押しピンを配設しているので、起動、ページ送り等の操作が簡易である。【００１６】  第４の考案によれば、板状ルーペの収容ポケットの裏面中央には、吸盤が貼着されているので、該吸盤を浴室内の壁面等に固着すると共に、ヒンジを介して板状ルーペの収容ポケットを回動、起立させてスタンドとして、好みの読書角度を選択できる。
【考案を実施するための最良の形態】
【００１７】  以下、本考案に係る、電子書籍用防水ケース（以下、防水ケースＣという）に関する好適な実施形態について、図面を参照しながら説明する。図１は、防水ケースＣの蓋体を開いた状態の正面図、図２は蓋体を閉蓋し、開閉具を止着した状態の正面図、図３は開閉具を止着した状態の背面図、図４は収容ポケットを回動、起立させてスタンドとした状態の側面図、図５は図２における５−５線拡大断面図、図６は図２における６−６線拡大断面図である。【００１８】  防水ケースＣは、例えば、ポリプロピレン、ポリエチレン等の軽量、硬質樹脂材を公知技術例えば、射出成形法、中空成型法等による成型法により、可能な範囲内で一体的に製作されるもので、電子書籍Ｂを収容する本体収容部１、蓋体２、開閉具３、３’、ヒンジ４及びルーペ用収容ポケット（以下、ポケット５という）を主な構成部材とし、本体収容部１の外周側壁１ａには、携行用の把持部１ｂが形成され、その上下に係止用段部１ｃ及び１ｃ’が突設され、開口周縁部には環状凹溝１ｄが形成され、該環状凹溝１ｄ内には天然ゴム等からなる弾性パッキン６が、図１及び図５に示すように環状凹溝１ｄから突出して嵌着されている。また本体収容部１の内周壁１ｆの長辺及び短辺寸法は、電子書籍Ｂの長辺及び短辺寸法より僅かに大とされている。１ｈは、連結部で蓋体２の連結部２ａと交差し、ヒンジ４を介して回動可能に連結されている。【００１９】  蓋体２は、例えば、ポリプロピレン、ポリエチレン等の軽量、硬質かつ透明樹脂材からなり、連結部２ａと反対側面に設けたヒンジ３ａ、３ａ’を介して回動する開閉具３、３’が設けられ、該開閉具３、３’には係止爪３ｂ、３ｂ’が形成されている。また電子書籍ＢのディスプレイＢａの下方に設けた操作ボタン例えば、起動ボタンＢｂ、次頁ボタンＢｃ、前頁ボタンＢｄ等に対応する部位に、それぞれ押圧ピン２ｂ、２ｃ、２ｄが蓋体２の外表面から内層部を貫通して摺動可能に立設され、押圧ピン２ｂ、２ｃ、２ｄの外周部には、防水用パッキン２ｂ’、２ｃ’、２ｄ’が嵌着されている。【００２０】  本体収容部１の裏面１Ｂには、図３に示すように、ポケット５の取付部７及び７’が左右平行に立設され、その中心部に設けられた貫通孔７ａ、７ａ’に、ポケット５の上端左右に形成したピン５ａ、５ａ’が回動可能に装着され、図４に示すようにポケット５を回動させ、例えば浴槽周縁近傍の平面部位等にスタンドとして使用される。なおＬは、平板状ルーペで、５ｂはルーペＬを取り出すための指掛け用切欠部である。【００２１】  図３及び図４に示すように、ポケット５の外表面ほぼ中央には、軟質合成樹脂例えば、塩化ビニール等からなる吸盤８が貼着され、例えば浴槽のタイル壁面等に圧接して角度を調整し電子書籍Ｂを閲覧する。【００２２】次に、本考案の防水ケースＣの使用態様について説明する。電池内蔵型又は充電型でバックライト付きの電子書籍Ｂは、図１に示すように本体収容部１に収納され、蓋体２はヒンジ４を回動させて閉蓋し、開閉具３、３’の係止爪３ｂ、３ｂ’は、本体収容部１の係止用段部１ｃ及び１ｃ’に止着される。【００２３】  電子書籍Ｂを閲覧するときは、図６に示すように指先で矢印方向Ｐに押圧ピン２ｂを押下すれば、押圧ピン２ｂの先端が電子書籍Ｂの起動ボタンＢｂに当接して通電され、電子書籍ＢのディスプレイＢａに文字が現出し、読者はこれを閲覧することができ、改頁するときは次頁ボタンＢｃ、前頁ボタンＢｄ等を押圧して改頁する。閲覧終了に際しては、再度、押圧ピン２ｂを押下すれば、起動ボタンＢｂに当接し通電は停止される。なお、押圧ピン２ｂ、２ｃ、２ｄは、コイルスプリング（不図示）等により自動復帰するようになっている。またディスプレイＢａの文字が小さくて見えにくいときは、ポケット５からルーペＬを抜き取り閲覧することができる。
【図面の簡単な説明】
【００２４】
【図１】本発明に係る、電子書籍用防水ケースの蓋体を開いた状態の、正面図である。
【図２】同、蓋体を閉蓋し、開閉具を止着した状態の正面図である。
【図３】同、開閉具を止着した状態の背面図である。
【図４】同、収容ポケットをスタンドとした状態の側面図である。
【図５】同、図２における５−５線拡大断面図である。
【図６】同、図２における６−６線拡大断面図である。
【符号の説明】
【００２５】Ｂ                      電子書籍
Ｃ                      電子書籍用防水ケース
１                      本体収容部
２                      蓋体
３、３’                開閉具
４                      ヒンジ
５                      ルーペ用収容ポケット
６                      弾性パッキン
７、７’                取付部
８                      吸盤
１Ｂ                    裏面
１ｂ                    把持部
１ｄ                    環状凹溝
２ｂ、２ｃ、２ｄ        押圧ピン
２ｂ’、２ｃ’、２ｄ’  防水用パッキン
【図１】
0003109347.tif 000003
【図２】
0003109347.tif 000004
【図３】
0003109347.tif 000005
【図４】
0003109347.tif 000006
【図５】
0003109347.tif 000007
【図６】
0003109347.tif 000008